(57)【要約】【課題】車体の旋回時にシリンダヘッドの前部に寄ったオイルをタイミングチェーンでオイルパンに向けて掻き出す構造の内燃機関において、オイルストレーナの取り付けの容易性を確保しつつ、オイルの戻し機能を確実化する。【解決手段】オイルパンは上オイルパン４と下オイルパン５との分離方式になっており、上オイルパン４の前面にフロントカバー１１が固定されている。シリンダブロック１とフロントカバー１１との間に、タイミングチェーン配置空間１２が形成されている。上オイルパン４の前壁１８に、オイルストレーナ２８が取り付く支持リブ３０を突設しており、支持リブ３０にオイル通路３２を形成している。オイルの一部が支持リブ３０とフロントカバー１１との間の空間に至っても、そのオイルはオイル通路３２から排出されて下オイルパン５に向かう。オイル通路３２の下面は傾斜面３２ａになっているため、オイルの排出はスムースである。【選択図】図８
2020165386.tif 000002
【特許請求の範囲】
【請求項１】
シリンダボア軸線を水平側に大きく傾けると共にクランク軸を略水平姿勢で回転自在に保持したシリンダブロックと、前記クランク軸のうち前記シリンダブロックから突出した前端部に設けたスプロケットに噛合したタイミングチェーンと、前記タイミングチェーンを覆うフロントカバーとを備えており、
車体の旋回時に、シリンダヘッドに溜まったオイルが前記タイミングチェーンの側に移動して、前記タイミングチェーンの周回によってオイルがオイルパンに向けて掻き出される構成であって、
前記オイルパン又はフロントカバーに、オイルストレーナが取り付く支持リブを、前記タイミングチェーンの周回によって流れ込むオイルの一部を塞き止めるような姿勢で形成しており、前記支持リブに、前記流れ込んだオイルをオイルパンに逃がすオイル通路が形成されている、
自動車用スラント型内燃機関。
【発明の詳細な説明】
【技術分野】
【０００１】
本願発明は、自動車用スラント型内燃機関に関するものである。
【背景技術】
【０００２】
内燃機関を自動車のエンジンルームに搭載するにおいて、例えば、ワンボックス車や軽トラックのようにエンジンルームが運転席の下方に入り込んでいるボンネットレスタイプの自動車では、シリンダボアを水平側に大きく傾けて配置することが行われている。すなわち、シリンダボアを水平側に大きくスラントさせて搭載することが行われている（例えば特許文献１）。
【０００３】
さて、動弁機構の潤滑を行ったオイルやＶＶＴの駆動に使われたオイルはシリンダヘッドの内部に流下し、シリンダヘッド及びシリンダブロックに設けたオイル落とし穴を通ってオイルパンに戻されているが、シリンダボアを水平側に大きく傾けているスラント型内燃機関の場合、車体の旋回時（右旋回時）に、シリンダヘッドに溜まったオイルが慣性力によってタイミングチェーンの側に寄せられる現象が生じる。
【０００４】
従って、旋回時にオイルが移動してもオイルをオイルパンに戻す手段が必要である（そうでないと、オイルパンのオイル量が過剰に低下してオイルストレーナが空気を吸い込んでしまう。）。
【０００５】
この点については、オイル落とし穴を多数設けることが考えられるが、タイミングチェーンの側に寄せられたオイルを迅速に戻すためには、オイル落とし穴の大きさはかなり大きくせざるを得ず、すると、シリンダヘッド及びシリンダブロックの強度が低下するおそれがあり、また、シリンダヘッド及びシリンダブロックに、大径のオイル落とし穴を形成するスペースが存在しない場合も有り得る。
【０００６】
他方、例えばバスや乗用車用の低重心エンジンとして、シリンダボアを水平に寝かせた水平対向式のものが使用されており、このタイプの内燃機関でも旋回時のオイルの移動現象が発生している。そこで、タイミングチェーンを利用してオイルをオイルパンの側に掻き出すことが行われており、特許文献２には、オイルの流路の途中に、オイルの流れを方向付ける整流板を設けることが開示されている。
【先行技術文献】
【特許文献】
【０００７】
【特許文献１】特開平１１−２４１６５１号公報
【特許文献２】特開２００９−９７３９８号公報
【発明の概要】
【発明が解決しようとする課題】
【０００８】
タイミングチェーンはフロントカバーで覆われているが、スラント型内燃機関においても、旋回時にタイミングチェーンでオイルをオイルパンに向けて掻き出す構造を採用すると、シリンダブロックとフロントカバーとの間のタイミングチェーン配置空間をオイルの戻し通路として利用できるため、構造の複雑化や部材の強度低下を招来することなく、旋回時においてもオイルをオイルパンに速やかに戻すことができる。
【０００９】
他方、内燃機関はオイルパンからオイルを吸い出すオイルストレーナが必要であるが、オイルストレーナは、オイルパンのうち深い部分に配置する必要がある。そして、使用するオイル量をできるだけ少なくするには、オイルパンに、深い部分を部分的に形成することが有益であり、そこで、タイミングチェーンに近い側を深く形成しているのが普通である（横置き前排気タイプ等の自動車用内燃機関の場合、排気管をオイルパンの下方にくぐらせる必要があることから、排気管の配置スペースを確保するために、オイルパンのうちミッション側の部分を浅くせねばならない事情もある。）。
【００１０】
従って、オイルストレーナは、タイミングチェーンに近い側においてオイルパン又はフロントカバーに取り付ける必要があるが、オイルストレーナの取付けによってオイルの流れが阻害されることは避けねばならない。
【００１１】
本願発明はこのような実情を背景に成されたものであり、シリンダボアを水平側に大きく寝かせた自動車用スラント型内燃機関において、旋回時のオイルの速やかな戻しを阻害することなく、オイルストレーナを支障なく取り付けできるようにしようとするものである。
【課題を解決するための手段】
【００１２】
本願発明は、
「シリンダボア軸線を水平側に大きく傾けると共にクランク軸を略水平姿勢で回転自在に保持したシリンダブロックと、前記クランク軸のうち前記シリンダブロックから突出した前端部に設けたスプロケットに噛合したタイミングチェーンと、前記タイミングチェーンを覆うフロントカバーとを備えており、
車体の旋回時に、シリンダヘッドに溜まったオイルが前記タイミングチェーンの側に移動して、前記タイミングチェーンの周回によってオイルがオイルパンに向けて掻き出される」
という基本構成になっている。
【００１３】
そして、上記基本構成に加えて、
「前記オイルパン又はフロントカバーに、オイルストレーナが取り付く支持リブを、前記タイミングチェーンの周回によって流れ込むオイルの一部を塞き止めるような姿勢で形成しており、前記支持リブに、前記流れ込んだオイルを前記オイルパンに逃がすオイル通路が形成されている」
という構成が付加されている。
【発明の効果】
【００１４】
本願発明では、シリンダブロックとフロントカバーとの間のタイミングチェーン配置空間を車体旋回時のオイル戻し通路として利用すると共に、タイミングチェーンをオイルの強制戻し手段として利用するものであるため、構造の複雑化やシリンダヘッド及びシリンダブロックの強度低下をもたらすことなく、旋回時にオイルをオイルパンに速やかに戻すことができる。
【００１５】
また、タイミングチェーンの側においてオイルパン又はフロントカバーにオイルストレーナの支持リブを設けているため、オイルストレーナの取り付けを確実に行える。更に、支持リブは補強効果を持つため、オイルパン又はフロントカバーの強度向上にも貢献できる。
【００１６】
そして、タイミングチェーン配置空間をオイル流路として利用するものであるため、シリンダヘッドから流下してきたオイルは、クランク軸線方向に流れを変えてオイルパンに流れ込むが、オイルストレーナのうちオイルパン又はフロントカバーに取り付く部分はクランク軸線方向に長い姿勢になるため、支持リブを、クランク軸線を横切る方向に突出した姿勢として、オイルパンに流れ込むオイルに対して堰のような姿勢で配置することが合理的であり、これにより、オイルストレーナを、支持リブに簡単にかつしっかりと取り付けることができる。
【００１７】
そして、支持リブにはオイル通路が空いているため、オイルの戻し機能には支障はない。従って、旋回時のオイルの戻しを速やかに行いつつ、オイルストレーナを簡単にかつしっかりと取り付けることができる。また、オイルストレーナはさほどの重量はないため、支持リブにオイル通路を空けてもオイルストレーナの支持強度の問題はない。従って、オイルストレーナの支持機能を損なうことなく、オイルパン又はフロントカバーを軽量化できる。従って、燃費向上にも貢献できる。
【００１８】
支持リブはフロントカバーに設けることも可能であるが、実施形態のようにオイルパンに支持リブを設けると、先にオイルストレーナを取り付けてからフロントカバーを装着できるため、オイルパンやオイルストレーナが複雑な形状であっても、オイルストレーナを簡単に取り付けることができる利点がある。
【図面の簡単な説明】
【００１９】
【図１】フロントカバーを省略した状態での内燃機関の上半部の正面図である。
【図２】フロントカバーを省略した状態での内燃機関の下半部の正面図である。
【図３】下オイルパンを省略した状態での底面図である。
【図４】上オイルパンの斜視図である。
【図５】上オイルパンの正面図である。
【図６】図５のVI-VI 視図である。
【図７】内燃機関を図５及び図６の VII-VII視方向から見た断面図である。
【図８】図７の部分拡大図である。
【発明を実施するための形態】
【００２０】
次に、本願発明の実施形態を図面に基づいて説明する。以下では、方向を特定するため前後・左右・上下の文言を使用するが、前後方向はクランク軸線方向であり、左右方向はクランク軸線方向と直交した水平方向であり、上下方向は鉛直方向である。前と後ろについては、内燃機関に使用されている一般的な呼び方に準じて、タイミングチェーンが配置されている側を前、ミッションが配置されている側を後ろとしている。念のため、各図に方向を明示している。
【００２１】
シリンダブロックのうち気筒軸線の方向の区別としては、圧縮行程のときにピストンが向いた方向に位置した面を頂面と呼び、膨張行程のときにピストンが向いた面を底面と称して、鉛直方向である上下方向と区別している。
【００２２】
(1).内燃機関の概要
本実施形態は、自動車用の４気筒内燃機関に適用している。内燃機関は、図１，２に示すように、シリンダブロック１とその頂面に固定されたシリンダヘッド２、及びシリンダヘッド２の頂面に固定されたヘッドカバー３を備えており、シリンダボア軸心を大きく寝かせたスラント型内燃機関になっている。シリンダボア軸心は、鉛直線Ｏ１に対して、約６０°強（水平面Ｏ２に対しては、３０°弱）の角度で傾斜している。
【００２３】
このように、シリンダボア軸心を水平に近い姿勢に大きくスラントさせていることにより、オイルパンは、シリンダブロック１の底面に固定された上オイルパン４と、上オイルパン４の下面に固定された下オイルパン５とに分離している。上オイルパン４はアルミダイキャスト品であり、下オイルパン５は板金加工品である。
【００２４】
図１のとおり、シリンダヘッド２は、シリンダブロック１に固定された第１部分２ａと、第１部分２ａの頂面に固定された第２部分２ｂとの２層構造になっており、第２部分２ｂに、タイミングチェーン６が噛合する一対の従動スプロケット７が回転自在に保持されている。なお、従動スプロケット７は、実際にはＶＶＴ装置に取り付けられている。
【００２５】
図１，２では、シリンダブロック１、シリンダヘッド２、オイルパン４，５については、その輪郭を明確化するため、それらの前端面に平行斜線を付している。従って、平行斜線は断面の表示ではない。
【００２６】
図２に示すように、シリンダブロック１の底部には、クランクキャップ８を介してクランク軸９が回転自在に保持されている。クランク軸９の前端部はシリンダブロック１の手前に露出しており、露出部に、図３に示すように主動スプロケット１０が固定されている。そして、主動スプロケット１０と従動スプロケット７とにタイミングチェーン６が巻き掛けられている。
【００２７】
図３，６，７，８に示すように、タイミングチェーン６はフロントカバー１１によって手前から覆われており、フロントカバー１１を、シリンダヘッド２とシリンダブロック１と上オイルパン４の前端面に重ね固定することにより、フロントカバー１１とシリンダブロック１及び上オイルパン４とで囲われた空間をタイミングチェーン配置空間１２と成している。なお、図３，６では、フロントカバー１１は模式的に表示している。
【００２８】
本実施形態の内燃機関は、排気側を下方に向けて吸気側を上に向けている。そして、図１，２に示すように、タイミングチェーン６は、吸気側ガイド（上ガイド）１３と排気側ガイド（下ガイド）１４とにより、間隔を狭めた姿勢に保持されている。なお、排気側ガイド１４は固定式で、吸気側ガイド１３は可動式になっている。
【００２９】
本実施形態の内燃機関は、クランク軸９を車体の前後方向に向けた縦置きでエンジンルームに搭載されている。また、フロントカバー１１が車体の前方側に位置するようにして、エンジンルームに配置されている。
【００３０】
そして、車体が右旋回すると、遠心力（慣性力）によって、シリンダヘッド２に流下したオイルはタイミングチェーン６の側に移動する傾向を呈する一方、シリンダヘッド２及びシリンダブロック１のオイル落とし穴は前後中間部や後部に設けているため、車体の右旋回時に、オイルがオイル落とし穴に流れ込まずに、オイルパンの油量が大きく低下する現象が発生することがある。
【００３１】
そこで、本実施形態では、シリンダヘッド２の内部とタイミングチェーン配置空間１２とを連通させることにより、右旋回時に、シリンダヘッド２の前部に溜まったオイルを、タイミングチェーン配置空間１２からオイルパン４，５に戻しており、オイルは、図２や図７，８に矢印で示すように、タイミングチェーン６の掻き出し作用により、タイミングチェーン配置空間１２の終端からオイルパン４，５に向けて飛散していく。
【００３２】
そして、右旋回時のオイルパン４，５へのオイルの戻しをスムースに行えるように、上オイルパン４に工夫を施している。この点を、次に説明する。
【００３３】
(2).上オイルパンの基本構造
図５及び図６から理解できるように、上オイルパン４は、前後長手の上長手側壁１６及び下長手側壁１７と、これらの前端に一体に繋がった前壁１８と、上下長手側壁１６，１７の後端に一対に繋がった後ろ壁１９とを有している。
【００３４】
また、上オイルパン４の下部には、上下長手側壁１６，１７及び前後壁１８，１９に一体に繋がったバッフルプレート（底板）２０が一体に形成されており、図３に平行斜線を付して明示するように、下オイルパン取り付け面２１が、バッフルプレート２０を囲んだ状態に形成されている。下オイルパン取り付け面２１に、下オイルパン５のフランジ５ａ（例えば図２参照）が固定されている。上オイルパン４の上面は水平状になっているため、上長手側壁１６の左右幅は大きくて、下長手側壁１７の左右幅は小さくなっている。
【００３５】
図４，５に示すように、前壁１８には、クランクキャップ８を逃がす前凹所２２が形成されて、後ろ壁１９には、軸受が嵌まる後ろ凹所２３が形成されている。敢えて述べるまでもないが、ミッションケースは、シリンダブロック１の後面と上オイルパン４の後面とに跨がった状態で固定されている。
【００３６】
図６に示すように、上オイルパン４の上長手側壁１６及び下長手側壁１７の頂部には、シリンダブロック１に固定するための内向きのボス部２４が、前後方向に断続して多数形成されている。また、図４，５に示すように、上オイルパン５の上長手側壁１６には、下向きの段部２５が前後方向（クランク軸線方向）に長い姿勢で形成されており、段部２５の底端にバッフルプレート２０が繋がっている。
【００３７】
図３，６に示すように、バッフルプレート２０には、その前部に位置した左右長手の第１オイル落とし穴２６と、円形で周囲の箇所に分散した複数個の第２オイル落とし穴２７とが形成されている。第２オイル落とし穴２７は、角形等の他の形態であってもよい。図６から理解できるように、主動スプロケット１０の前端は、前壁１８よりも後ろ側にずれている。従って、タイミングチェーン配置空間１２を流れてきたオイルは、図６に矢印Ｘで示すように、タイミングチェーン６よりも下方の部位においてクランク軸線方向に向きを変えて、第１オイル落とし穴２６に流れ込むことになる。
【００３８】
オイルポンプはフロントカバー１１に配置されており、オイルポンプには、図７や図８に示すオイルストレーナ２８からオイルが吸い上げられる。オイルストレーナ２８は、左右長手の横向きパイプ２８ａと、その先端に接続された下向きパイプ２８ｂとから成っており、下向きパイプ２８ｂは、図３，６に明示するように、バッフルプレート２０に設けたストレーナ穴２９から下オイルパン５の内部に入り込んでいる。図７に示すように、下オイルパン５は手前側の部位が深くなっており、オイルストレーナ２８の下向きパイプ２８ｂは、深くなった部分に浸漬している。
【００３９】
特に図４，５，８に示すように、上オイルパン４の前部でかつ下部には、フロントカバー１１と重なる支持リブ３０を一体に形成しており、この支持リブ３０に、オイルストレーナ２８における横向きパイプ２８ａの基端部がしっかり嵌合する凹所３１を形成している。横向きパイプ２８ａの基端部は、ビスによって支持リブ３０に固定されている。
【００４０】
オイルストレーナ２８の横向きパイプ２８ａは前後方向に長いことから、支持リブ３０は、クランク軸線と直交した左右方向に広がっている（フロントカバー１１と平行な方向に広がっている。）。従って、支持リブ３０の凹所３１に横向きパイプ２８ａを無理なく嵌め込むことができて、オイルストレーナ２８の取り付けを簡単に行える。
【００４１】
他方、図５に示すように、上オイルパン４のうち支持リブ３０を設けた部分は、上オイルパン４の前部において最も低くなっている。従って、図８から理解できるように、支持リブ３０は、タイミングチェーン配置空間１２を流下してきたオイルの一部にとっては、その流れを塞き止める板の状態になっている。
【００４２】
そこで、支持リブ３０に、オイルを下オイルパン５に向けて逃がすオイル通路３２を形成している。また、オイル通路３２は下オイルパン５及びバッフルプレート２０よりも高い位置にあるため、オイルの流れを促進すべく、オイル通路３２の下面を、下に行くに従ってバッフルプレート２０に近づく傾斜面３２ａに形成している。
【００４３】
また、上オイルパン４の前壁１８のうち、支持リブ３０からバッフルプレート２０に連なる部分の内面も、下オイルパン５及びバッフルプレート２０に向けて下向きに傾斜した傾斜面３３に形成している。傾斜面３３の中途部に凹所３４が存在しているが、これは無くてもよい。
【００４４】
車体の右旋回時のオイルの流れについて纏めると、タイミングチェーン６の掻き出し作用によってタイミングチェーン配置空間１２を勢い良く流れてきたオイルは、タイミングチェーン配置空間１２から放出されて後、その一部は支持リブ３０を飛び越えてバッフルプレート２０に向かって、バッフルプレート２０の第１オイル落とし穴２６から下オイルパン５の内部に入り込む。また、オイルの他の一部は、支持リブ３０とフロントカバー１１とで囲われた空間に飛散し、この空間からオイル通路３２を通ってバッフルプレート２０に向けて流下し、第１オイル落とし穴２６から下オイルパン５の内部に流れ込む。
【００４５】
そして、オイル通路３２の下面は傾斜面３２ａになっていると共に、前壁１８の内面も下向きの傾斜面３３になっているため、方向変換したオイルを、下オイルパン５に速やかに戻すことができる。その結果、オイルの戻し効果を確実化して、オイルストレーナ２８による空気の吸い込み現象を防止できる。
【００４６】
例えば図３，５に示すように、上オイルパン４の前部でかつ下部には、オイルフィルター３５が取り付く受け座３６を前向きに突設している。そして、図４に示すように、上オイルパン４の前壁１８のうち上部の頂面に、受け座３６に向けてオイルを流すオイル送りポート３７と、浄化されたオイルが排出されるオイル戻りポート３８とが開口している。
【００４７】
オイルポンプで圧送されたオイルは、フロントカバー１１に形成されたオイル通路からシリンダブロック１に形成されたオイル通路に流れ、次いで、シリンダブロック１に形成されたオイル通路から、上オイルパン４のオイル送りポート３７に流入する。また、オイル戻りポート３８から排出されたオイルは、シリンダブロック１に形成されたメインギャラリに送られる。従って、上オイルパン４のオイル送りポート３７とオイル戻りポート３８とは、シリンダブロック１の底面に形成されたオイル通路及びメインギャラリに連通している。
【００４８】
なお、図２に点線の矢印で示すように、タイミングチェーン６で掻き出されたオイルの一部は上向きに飛散するが、上向きに飛散したオイルは、前壁１８における前凹所２２の上面２２ａに当たって落下する。従って、タイミングチェーン６がオイルで過剰に濡れることを防止できる。
【００４９】
以上、本願発明の実施形態を説明したが、本願発明は他にも様々に具体化できる。
【産業上の利用可能性】
【００５０】
本願発明は、自動車用スラント型内燃機関に具体化できる。従って、産業上利用できる。
【符号の説明】
【００５１】
Ｏ１  鉛直線
Ｏ２  水平面
１  シリンダブロック
２  シリンダヘッド
４  上オイルパン
５  下オイルパン
６  タイミングチェーン
７，１０  スプロケット
９  クランク軸
１１  フロントカバー
１２  タイミングチェーン配置空間
１６  上長手側壁
１７  下長手側壁
１８  前壁
２０  バッフルプレート
２６  第１オイル落とし穴
２７  第２オイル落とし穴
２８  オイルストレーナ
２８ａ  横向きパイプ
２８ｂ  下向きパイプ
２９    ストレーナ穴
３０  支持リブ
３１  凹所
３２  オイル通路
３２ａ  オイル通路の傾斜面
３３  前壁の傾斜面
【図１】
2020165386.tif 000003
【図２】
2020165386.tif 000004
【図３】
2020165386.tif 000005
【図４】
2020165386.tif 000006
【図５】
2020165386.tif 000007
【図６】
2020165386.tif 000008
【図７】
2020165386.tif 000009
【図８】
2020165386.tif 000010